(57)【特許請求の範囲】
【請求項１】
表面に防食被覆層を施したコンクリート構造部材を複数連設一体化する際に、これの目地部に設けられる目地部構造であって、隣接するコンクリート構造部材の各防食被覆層の縁部に沿って設けられることにより対向配置される、各コンクリート構造部材の端面側に向かって開口する嵌合溝と、該対向配置された嵌合溝に挿入するための一対の嵌合部をその両側端部に備える帯状弾性防食接続部材とからなり、前記一対の嵌合部を前記嵌合溝に各々押し込むようにして、前記帯状弾性防食接続部材を前記目地部を覆って前記各防食被覆層の縁部の間に密着固定することを特徴とする防食被覆コンクリート構造部材の目地部構造。
【請求項２】
前記帯状弾性防食接続部材の前記嵌合部の根元部分には、水膨潤性ゴムが取り付けられていることを特徴とする請求項１に記載の防食被覆コンクリート構造部材の目地部構造。
【発明の詳細な説明】
【０００１】
【発明の属する技術分野】
本発明は、防食被覆コンクリート構造部材の目地部構造に関し、特に、表面に防食被覆を施したコンクリート構造部材を複数連設一体化する際に採用される目地部構造に関する。
【０００２】
【従来の技術】
例えば下水道などの腐食性の水に接するコンクリート構造物の防食方法としては、コンクリート表面に例えばエポキシ樹脂等の樹脂材料を塗布したり、コンクリート構造物を構成するセグメント等のプレキャスト構造部材の製造時に、コンクリートの表面部分の型枠に防食性の樹脂パネルや樹脂シートを取付けてコンクリートを打設し、あるいは打設したコンクリートの硬化後に樹脂材料を塗布したりすることによってコンクリート表面を防食被覆する方法が採用されている。
【０００３】
また、現場打コンクリートによりコンクリート構造物を形成する場合においても、その表面に樹脂材料などにより防食被覆層を形成して防食する方法が採用されている。
【０００４】
そして、シールドトンネルの覆工体などのコンクリート構造物は、コンクリートセグメント等のプレキャスト構造部材を複数連設一体化したり、現場打ちコンクリートを打ち継いで形成してゆくものであるため、隣接するこれらのコンクリート構造部材の接合部にもまた現場において防食被覆を施す必要が生じることになる。
【０００５】
そしてかかる接合部の防食方法としては、従来より、セグメント等のコンクリート構造部材を形成した後、目地部に樹脂材料を充填する方法や、合成樹脂製の防食被覆材同士を溶接により一体化する方法などが採用されていた。
【０００６】
【発明が解決しようとする課題】
しかしながら、かかる従来の防食被覆コンクリート構造部材の接合部の防食方法によれば、樹脂材料を目地部に充填すなわちコーキングする方法では、コンクリート構造部材の接合部分の清掃や乾燥に相当の時間を必要とし、また、樹脂材料が硬化するまでに長期の養生期間を必要とするとともに、コーキング作業に多くの手間を必要とするという課題があった。
【０００７】
また、防食被覆材同士を溶接する方法によれば、施工現場に地下水などの水分が存在すると溶接能率が低下するとともに、必要な電源の確保などその準備や施工に多くの手間を必要とすることになるという課題があった。
【０００８】
そこで、この発明は、このような従来の課題に鑑みてなされたもので、多くの時間や手間を必要とすることなく、防食被覆を施したコンクリート構造部材の接合部を容易に防食被覆することのできる、防食被覆コンクリート構造部材の目地部構造を提供することを目的とするものである。
【０００９】
【課題を解決するための手段】
この発明は、かかる目的を達成するためになされたもので、その要旨は、表面に防食被覆層を施したコンクリート構造部材を複数連設一体化する際に、これの目地部に設けられる目地部構造であって、隣接するコンクリート構造部材の各防食被覆層の縁部に沿って設けられることにより対向配置される、各コンクリート構造部材の端面側に向かって開口する嵌合溝と、該対向配置された嵌合溝に挿入嵌合するための一対の嵌合部をその両側端部に備える帯状弾性防食接続部材とからなり、前記一対の嵌合部を前記嵌合溝に各々押し込むようにして、前記帯状弾性防食接続部材を前記目地部を覆って前記各防食被覆層の縁部の間に密着固定することを特徴とする防食被覆コンクリート構造部材の目地部構造にある。
【００１０】
また、この発明の目地部構造は、前記帯状弾性防食接続部材の前記嵌合部の根元部分に、水膨潤性ゴムを取り付けることが好ましい。
【００１１】
ここで、上記複数連設一体化されるコンクリート構造部材としては、例えばコンクリートセグメント等のプレキャスト製のコンクリートの他、現場打ちコンクリートにおいて区画分けされて各ロット毎に硬化するコンクリートをも含むものである。
【００１２】
そして、この発明の防食被覆コンクリート構造部材の目地部構造によれば、目地部を挟んで対向配置された隣接するコンクリート構造部材の嵌合溝に対して、帯状弾性防食接続部材の両側端部の一対の嵌合部を帯状弾性防食接続部材の弾性によって変形しつつ各々押し込むようにしながら、当該帯状弾性防食接続部材を各防食被覆層の縁部の間に差し込むだけの作業により、目地部を覆って当該帯状弾性防食接続部材を容易に密着固定することができ、これによって水密性及び防食性に富んだ目地部構造を隣接するコンクリート構造部材の接合部に容易に形成することができる。
【００１３】
また、帯状弾性防食接続部材の前記嵌合部の根元部分に、水膨潤性ゴムを取り付けておけば、かかる接合部ないしは目地部における水密性をより確実に確保することができる。
【００１４】
【発明の実施の形態】
以下、この発明の好ましい実施形態を添付図面を参照して詳細に説明する。この実施形態の防食被覆コンクリート構造部材の目地部構造は、図１（ａ）及び（ｂ）に示すようなシールドトンネル５０の覆工体５１を構成するコンクリート構造部材としてのコンクリートセグメント１０の接合部１２における目地部１３に設けられるものである。
【００１５】
また、この実施形態によれば、シールドトンネル５０は下水道用のトンネルであって腐食性の水に接するものであるため、各セグメント１０の内周面を、これの製造時に予め防食性の防食被覆層２３によって覆うとともに（図２参照）、複数のセグメント１０を連接一体化して覆工体５１を形成する際に、隣接するセグメント１０間の接合部１２にも高い防食性、及び止水性を付与するために、この発明の防食被覆コンクリート構造部材の目地部構造を設けるものである。
【００１６】
すなわち、この実施形態の目地部構造１１は、図２に示すように、隣接するセグメント１０間の接合部１２の目地部１３に設けられるものであって、隣接するセグメント１０の各防食被覆層２３の縁部２１に沿って設けられることにより対向配置される、各セグメント１０の端面側に向かって開口する嵌合溝１４と、この対向配置された嵌合溝１４に挿入するための一対の嵌合部１７をその両側端部に備える帯状弾性防食接続部材２０とからなり、一対の嵌合部１７を各嵌合溝１４に各々押し込むようにして、防食接続部材２０を目地部１３を覆って各防食被覆層２３の縁部２１の間に密着固定することによって構成されている。
【００１７】
ここで、コンクリートセグメント１０は、予め工場等において製作型枠内にコンクリートを打設硬化させて製作される矩形円弧状のプレキャストコンクリート製のもので、セグメント１０の内周面側に配置される製作型枠の表面に例えば樹脂材料からなるシート部材２２を敷設配置した後にコンクリートを打設することにより、各セグメント１０の内周面に容易に防食被覆層２３を貼着配置することが可能である。
【００１８】
また、かかる防食被覆層２３を構成するシート部材２２は、防食性に富んだ、ポリエチレン、ポリプロピレン等の樹脂材料からなるもので、例えばこれの裏面に多数の突起を有し、これをアンカーとしてセグメント１０の内周面のコンクリート中に埋設することにより、当該内周面に防食被覆層２３が強固に密着固定されることになる。
【００１９】
さらに、各セグメント１０における防食被覆層２３の縁部２１は、図３に拡大して示すように、その厚さが大きく形成されていて、この縁部２１に沿って、セグメント１０の端面側に開口する嵌合溝１４が設けられている。すなわち、この嵌合溝１４は、深部が円形に拡幅する断面形状を備えていて、この嵌合溝１４と同様の断面形状を有する防食接続部材２０の嵌合部１７を挿入嵌合した際に、この円形拡幅部１５に嵌合部１７の円形拡幅部１８が係止されて、目地部１３を覆う防食蓋部材２０が、接合部１２から抜け出すのを強固に防止するとともに、防食接続部材２０の本体部１６が、各防食被覆層２３の縁部２１の間に強固に密着固定されることになる。
【００２０】
一方、この実施形態の目地部構造１１を構成する防食接続部材２０は、例えば高密度ポリエチレン、ポリプロピレン等の樹脂材料からなる、防食性に富むとともに弾性を備え、適度な硬さと復元力を有する帯状の部材であって、図３に拡大して示すように、中央部分に位置する断面矩形状の本体部１６と、この本体部１６の両側部分から突出する、一対の嵌合部１７とからなり、この嵌合部１７は、上述の嵌合溝１４と合致する形状の、円形拡幅部１８を有する断面形状を有している。
【００２１】
なお、セグメント１０の内周面に密着固定される防食被覆層２３は、その端面がセグメント１０本体の端面よりやや内側に位置するように設けられており、これによって、隣接するセグメント１０の端面同士を当接させた場合に、防食被覆層２３の縁部２１の間には、防食接続部材２０の本体部１６が差し込まれる隙間が形成されるとともに、防食接続部材２０の本体部１６は、その幅が、縁部２１の間に形成された隙間の幅と略合致するように予め形成されている。
【００２２】
また、防食接続部材２０の本体部１６から突出する嵌合部１７の根元部分には、水膨潤性ゴム１９が取り付けられており、この水膨潤性ゴム１９は、防食接続部材２０が接合部１２に取り付けられた際に、防食被覆層２３の端面と、防食接続部材２０の肩部との間に介装することになる。
【００２３】
そして、この実施形態の目地部構造１１は、隣接するセグメント１０の各縁部に設けた嵌合溝１４に防食蓋部材２０の一対の突起１７を各々押し込むようにして、目地部１３を覆って防食接続部材２０を防食被覆層２３の縁部２１の間に密着固定することによって構成される。
【００２４】
すなわち、この実施形態によれば、各セグメント１０の製作時にこれの端部内側の適宜箇所に設けたボルトボックスなどを介して、隣接するセグメント１０を締結固定したら、これらの隣接するセグメント１０の接合部１２に表出する防食被覆層２３の縁部２１の間の隙間に沿わせるようにして防食接続部材２０を配置するとともに、この防食接続部材２０を弾性変形させつつ、これの両側端部の一対の嵌合部１７を嵌合溝１４に各々押し込むようにしながら、防食接続部材２０の本体部１６を各防食被覆層２３の縁部２１の間に差し込めば、防食接続部材２０が目地部１３を覆って当該縁部２１の間の隙間に容易に密着固定し、これによって止水性、及び防食性に富んだ目地部構造１１が隣接するセグメント１０の接合部１２に容易に形成されることになる。
【００２５】
また、この実施形態によれば、防食接続部材２０の嵌合部１７の根元部分には、水膨潤性ゴム１９が取り付けられいるので、この水膨潤性ゴム１９が防食被覆層２３の端面と防食接続部材２０の肩部との間に介在し、水を吸収して膨潤することにより、さらに確実な水密性を得ることができる。
【００２６】
なお、この発明は、上記実施形態の実施の態様に限定されるものではなく、各請求項に記載された構成の範囲内において種々に変更して採用することができる。例えば、水膨潤性ゴムは必ずしも設ける必要はなく、また、この発明の目地部構は、セグメントの接合部に限定されされることなく、その他のプレキァストコンクリート部材の接合部に採用することができる他、現場打ちコンクリートの打継目に対しても採用することができる。
【００２７】
【発明の効果】
以上詳細に説明したように、この発明の防食被覆コンクリート構造部材の目地部構造によれば、隣接するコンクリート構造部材の各防食被覆層の縁部に沿って設けられることにより対向配置される、各コンクリート構造部材の端面側に向かって開口する嵌合溝と、該対向配置された嵌合溝に挿入するための一対の嵌合部をその両側端部に備える帯状弾性防食接続部材とからなるので、一対の嵌合部を嵌合溝に各々押し込むようにして帯状弾性防食接続部材を差し込むだけの作業によって、当該帯状弾性防食接続部材を目地部を覆って各防食被覆層の縁部の間に容易に密着固定することができ、これによって多くの時間や手間を必要とすることなく、防食被覆を施したコンクリート構造部材の接合部を容易に防食被覆することができる。
【００２８】
また、帯状弾性防食接続部材の嵌合部の根元部分に水膨潤性ゴムが取り付けておけば、かかる接合部ないしは目地部における水密性をより確実に確保することができる。
【図面の簡単な説明】
【図１】（ａ）及び（ｂ）は、この発明の一実施形態に係る目地部構造を採用したシールドトンネルのセグメント覆工体を説明する、（ａ）は正面図、（ｂ）は（ａ）をＡ−Ａから見た内面図である。
【図２】この発明の一実施形態に係る目地部構造を示す断面図である。
【図３】この発明の一実施形態に係る目地部構造を説明する拡大断面図である。
【符号の説明】
１０  セグメント（コンクリート構造部材）
１１  目地部構造
１２  接合部
１３  目地部
１４  嵌合溝
１６  本体部
１７  嵌合部
１９  水膨潤性ゴム
２０  帯状弾性防食接続部材
２１  縁部
２３  防食被覆層
５０  シールドトンネル
５１  覆工体
【図１】
0003852179.tif 000002
【図２】
0003852179.tif 000003
【図３】
0003852179.tif 000004